(57)【要約】【課題】自動販売するための商品の汎用性を高めることができる自動販売機を提供することを目的とする。【解決手段】上面を開口した引き出し構造のコラム２３で、内部に仕切板３１を着脱可能に複数備え、仕切板３１には側面に係合部３３を有し、コラム２３の引き出し位置を規制する規制手段を備えた自動販売可能な物品収納装置２０は、親機となる親機となる自動販売機本体１０に併設配置しているので、通常の缶、ビン、ペットボトル等の自動販売に加え、販売商品の汎用性を高めた自動販売用物品収納装置により、利用者のニーズを高めるとともに販売商品の多様性に対応することができ、自動販売機の親機と子機での相乗効果により販売効率を高めることができる。【選択図】図１
2012128467.tif 000002
【特許請求の範囲】
【請求項１】
上面を開口した収納部を有する引き出し式収納装置を前後に仕切板で区画し、前記収納部の前方引き出し位置を前記仕切板毎に規制する規制手段を備えた自動販売用物品収納装置を子機とし、親機となる自動販売機に併設配置したことを特徴とする自動販売機。
【請求項２】
前記物品収納装置の電源を親機となる自動販売機と兼用したことを特徴とする請求項１に記載の自動販売機。
【請求項３】
前記物品収納装置の入金機能を親機となる自動販売機と兼用したことを特徴とする請求項１または２に記載の自動販売機。
【請求項４】
前記物品収納装置を親機となる自動販売機の前面に備えた外扉の反ヒンジ側に配置したことを特徴とする請求項１から３のいずれか一項に記載の自動販売機。
【請求項５】
前記物品収納装置の引き出し式収納装置は上下に複数備え、最下段は親機となる自動販売機の商品取出口と略同一としたことを特徴とする請求項１から４のいずれか一項に記載の自動販売機。
【発明の詳細な説明】
【技術分野】
【０００１】
本発明は、販売する商品の汎用性を高める自動販売機に関するものである。
【背景技術】
【０００２】
近年、スパイラル部材を水平方向に駆動させ、螺旋空間に収納された商品を送出する商品搬送装置が提案されている（例えば、特許文献１参照）。
【０００３】
以下、図面を参照しながら、上記従来の自動販売機について説明する。
【０００４】
図１６は特許文献１に記載された従来の自動販売機の商品搬送装置の外観斜視図である。
【０００５】
商品収納コラム１上の２個のスパイラル部材２が駆動モータ３によって相互反転駆動するもので、駆動モータ３が１回転することによりスパイラル部材２の螺旋空間部２ａに挟みこまれた商品がスパイラル部材２内を貫通した平板状のスパイラルアングル４上をスパイラル部材２の１ピッチ分滑走して、前に搬送され、最前列にある商品はスパイラル部材２の自由端から外れてシュート５上を滑り、商品取出口（図示せず）に落下する。
【先行技術文献】
【特許文献】
【０００６】
【特許文献１】特開２００１−２２２７５２号公報
【発明の概要】
【発明が解決しようとする課題】
【０００７】
しかしながら、上記従来の商品搬送装置では、スパイラル部材の螺旋空間部に収納できる商品のみが販売可能で、販売商品の汎用性が低いという課題を有していた。
【０００８】
本発明は上記従来の課題を解決するものであり、自動販売するための商品の汎用性を高めることができる自動販売機を提供することを目的とする。
【課題を解決するための手段】
【０００９】
上記従来の課題を解決するために、本発明の自動販売機は、上面を開口した収納部を有する引き出し式収納装置を前後に仕切板で区画し、前記収納部の前方引き出し位置を前記仕切板毎に規制する規制手段を備えた自動販売用物品収納装置を子機とし、親機となる自動販売機に併設配置したものである。
【００１０】
これによって、通常の缶、ビン、ペットボトル等の自動販売に加え、販売商品の汎用性を高めた自動販売用物品収納装置を一体に備えたことにより、利用者のニーズを高めるとともに販売商品の多様性に対応することができる。
【発明の効果】
【００１１】
本発明の自動販売機は、通常の缶、ビン、ペットボトル等の自動販売に加え、販売商品の汎用性を高めた自動販売用物品収納装置を一体に備えたことにより、利用者のニーズを高めるとともに販売商品の多様性に対応することができ、自動販売機での販売効率を高めることができる。
【図面の簡単な説明】
【００１２】
【図１】本発明の実施の形態１における自動販売機能を備えた物品収納装置の正面図
【図２】同実施の形態の物品収納装置のみを拡大した正面図
【図３】同実施の形態の物品収納装置の収納ユニットの斜視図
【図４】同実施の形態の収納ユニットのコラムを引き出した状態の斜視図
【図５】同実施の形態の収納ユニットのコラムの斜視図
【図６】同実施の形態の収納ユニットのコラムの斜視図
【図７】同実施の形態の収納ユニットのコラムの平面図
【図８】同実施の形態の収納ユニットのコラムスイッチの動作説明図
【図９】同実施の形態の収納ユニットのコラムを引き出した状態の平面図
【図１０】同実施の形態の収納ユニットのコラムを全開まで引き出した状態の平面図
【図１１】同実施の形態の収納ユニットの要部断面図
【図１２】同実施の形態の収納ユニットの要部断面図
【図１３】同実施の形態の収納ユニットを上下に組み込んだ状態の要部断面図
【図１４】同実施の形態の収納ユニットの各スイッチの動作を説明する概略平面図
【図１５】同実施の形態の収納ユニットの各スイッチの動作を説明する要部平面図
【図１６】従来の自動販売機の商品搬送装置の外観斜視図
【発明を実施するための形態】
【００１３】
請求項１に記載の発明は、上面を開口した収納部を有する引き出し式収納装置を前後に仕切板で区画し、前記収納部の前方引き出し位置を前記仕切板毎に規制する規制手段を備えた自動販売用物品収納装置を子機とし、親機となる自動販売機に併設配置したものであり、通常の缶、ビン、ペットボトル等の自動販売に加え、販売商品の汎用性を高めた自動販売用物品収納装置を一体に備えたことにより、利用者のニーズを高めるとともに販売商品の多様性に対応することができ、自動販売機の親機と子機での相乗効果により販売効率を高めることができる。
【００１４】
請求項２に記載の発明は、請求項１に記載の発明において、前記物品収納装置の電源を親機となる自動販売機と兼用したものであり、自動販売用物品収納装置の簡素化を図ることができ、低コスト化を図ることができる。
【００１５】
請求項３に記載の発明は、請求項１または２に記載の発明において、前記物品収納装置の入金機能を親機となる自動販売機と兼用したものであり、さらに自動販売用物品収納装置の簡素化を図ることができ、低コスト化を図ることができる。
【００１６】
請求項４に記載の発明は、請求項１から３のいずれか一項に記載の発明において、前記物品収納装置を親機となる自動販売機の前面に備えた外扉の反ヒンジ側に配置したものであり、親機となる自動販売機の外扉の開閉による影響を受けることなく物品収納装置のメンテナンスが可能となる。
【００１７】
請求項５に記載の発明は、請求項１から４のいずれか一項に記載の発明において、前記物品収納装置の引き出し式収納装置は上下に複数備え、最下段は親機となる自動販売機の商品取出口と略同一としたものであり、物品収納装置からの商品の取り出しを無理なく容易に行うことができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における自動販売機能を備えた物品収納装置の正面図、図２は同実施の形態の物品収納装置のみを拡大した正面図、図３は同実施の形態の物品収納
装置の収納ユニットの斜視図、図４は同実施の形態の収納ユニットのコラムを引き出した状態の斜視図、図５は同実施の形態の収納ユニットのコラムの斜視図、図６は同実施の形態の収納ユニットのコラムの斜視図、図７は同実施の形態の収納ユニットのコラムの平面図、図８は同実施の形態の収納ユニットのコラムスイッチの動作説明図、図９は同実施の形態の収納ユニットのコラムを引き出した状態の平面図、図１０は同実施の形態の収納ユニットのコラムを全開まで引き出した状態の平面図、図１１は同実施の形態の収納ユニットの要部断面図、図１２は同実施の形態の収納ユニットの要部断面図、図１３は同実施の形態の収納ユニットを上下に組み込んだ状態の要部断面図、図１４は同実施の形態の収納ユニットの各スイッチの動作を説明する概略平面図、図１５は同実施の形態の収納ユニットの各スイッチの動作を説明する要部平面図である。
【００２０】
図１から図４において、自動販売機本体１０の前面を覆う外扉１１はヒンジ機構を介して回動自在に軸支されており、外扉１１の上部には、商品サンプル展示室１３を有し、内部に缶、ビン等の商品サンプル１４を備え、商品サンプル１４に対応してそれぞれ選択ボタン１５を設けている。
【００２１】
また、商品サンプル展示室１３の下方には、商品の広告などを掲示する広告パネル室１６と貨幣を投入する金銭投入口１７および携帯端末などの非接触端末の電子マネーによる決済が可能な読書き手段１８とを備えている。また、金銭投入口１７や読書き手段１８の下部には、利用者が選択した商品をしゃがみ姿勢で取り出す商品取出口１９が備えられている。
【００２２】
自動販売機本体１０の側部には、自動販売可能な物品収納装置２０を併設し、物品収納装置２０は収納ユニット２１を複数組み合わせて構成している。なお、物品収納装置２０は外扉１１のヒンジ機構とは反対側の側部に併設し、複数の物品収納装置２０の最下段は商品取出口１９と略同一高さとし、最上段は利用者（通常の大人）の手が届くか、あるいは目線程度の高さとしている。
【００２３】
また、自動販売可能な物品収納装置２０の電源は親機となる自動販売機本体１０の電源を兼用している。さらに、自動販売可能な物品収納装置２０の入金機能も親機となる自動販売機本体１０の入金機能を兼用している。
【００２４】
自動販売可能な物品収納装置２０を構成する収納ユニット２１は外殻を構成する箱体２２と引き出し構造のコラム２３を備え、コラム２３の前面には内部を視認可能な扉２４およびハンドル２５を備えている。また、箱体２２の前面には、選択ボタン２６および表示部２７を有している。コラム２３は両側面のレール２８と移動ローラ２９を備え、箱体２２の内面の固定ローラ３０とで引き出し可能としている。
【００２５】
また、図５、６に示すように、コラム２３は上面を開口し、内部に仕切板３１を着脱可能に複数備え、前後方向に複数の商品収納部を形成する。仕切板３１の側面上部の一方には側面突起部３２、他方には係合部３３、底面には底面突起部３４を一体に形成し、コラム２３の両側上辺の前後方向に形成した複数の切欠部３５に仕切板３１の側面突起部３２および係合部３３を差し込むことで仕切板３１の任意の位置決めを行うことができる。
【００２６】
なお、１つの収納ユニット２１内には基本的に同一商品を収納するように仕切板３１で等間隔で仕切り商品収納部（区画部）を形成している。
【００２７】
また、図７、８に示すように、箱体２２の内面前方には、コラムスイッチ３６および揺動可能なレバー部３７を備え、レバー部３７がコラム２３の係合部３３に係合することでコラム２３の引出動作を検知し、コラムスイッチ３６をＯＮ−ＯＦＦする構成としている
。
【００２８】
また、図９に示すように、コラム２３の底面外部には仕切板固定部材４０が前後方向で斜めにスライド可能にピン４１と長円状の係合孔４２で係合している。そして、通常は仕切板固定部材４０が仕切板３１の底面突起部３４と係止状態の位置になるように前方のスプリング４３で弾性支持されている。これにより、仕切板３１はコラム２３の底面に所定の位置で固定され上方には抜けないように構成している。
【００２９】
そして、商品充填の際にコラム２３を前方に全開状態とした時に、コラム２３の動作に連動して仕切板固定部材４０を斜めにスライドさせる機構を備え、仕切板固定部材４０が仕切板３１の底面突起部３４との係止状態を解除させる構成としている。（図１０参照）
また、図１１に示すように、コラムスイッチ３６のＯＮ−ＯＦＦ回数をカウントするカウンター（図示せず）を備え、このカウンターのメモリーに応じてソレノイド４４に通電することで支点５を軸として係止部材４６を連動させ、所定の仕切板３１の係合部３３と係合することでコラム２３の引き出し位置を規制する構成としている。
【００３０】
また、図１２に示すように、コラム２３の前面に備えたカギ４７の回動に連動して係止部材４６を動作させる連動部材４８に一体に形成した突出部４９を備えている。すなわち、係止部材４６のソレノイド４４によるコラム２３の引き出し規制とカギ４７の回動による引き出し規制とを兼用する構造としている。なお、連動部材４８はスプリング５０により上方に引っ張られており、カギ４７の抜き取り時は係止部材４６のロック状態を維持する。そして、商品充填時はカギ４７を回動してコラム２３のロック状態を強制的に解除し、コラム２３を前方に引き出し可能とする。
【００３１】
また、図１３に示すように、収納ユニット２１を上下に重ねて設置する場合、脚５１を介して固定するとともに、それぞれの連動部材４８を連接している。これにより、上下に重ねて配置した複数の収納ユニット２１を、最上段に設置したコラム２３の１つのカギ４７の動作により上下複数のコラム２３のロック状態の維持・解除を行うことができる。
【００３２】
次に、コラム２３の引出動作を模式的に示した図１４、１５で、具体的な収納ユニット２１での商品充填、販売動作、販売制御について説明する。
【００３３】
図１４、１５において、箱体２２の内面前方には、コラムスイッチ３６および揺動可能なレバー部３７を備え、レバー部３７がコラム２３の係合部３３に係合することでコラム２３の引出動作を検知し、コラムスイッチ３６をＯＮ−ＯＦＦする。
【００３４】
リセットスイッチ５５はレバー部５６がコラム２３の前部に備えた突起部５７に係合することでＯＮとなりコラム２３の全閉状態のみを検知する。
【００３５】
充填スイッチ５８はレバー部５９がコラム２３の後部に備えた突起部６０に係合することでＯＮとなりコラム２３の全開状態のみを検知する。
【００３６】
上記構成において、商品充填時は、カギ４７を回動してコラム２３のロック状態を強制的に解除し、コラム２３を前方に引き出して全開とする。この時、仕切板固定部材４０が仕切板３１の底面突起部３４との係止状態を解除させるので、仕切板３１は任意の位置決めを行うことができ、商品サイズに合ったそれぞれの仕切板３１の設定（機械的なコラム２３のそれぞれの商品収納部の奥行設定）を行い、コラム２３に同一商品を充填する。
【００３７】
また、この時、リセットスイッチ５５はレバー部５６がコラム２３の前部に備えた突起部５７から解除されることでＯＦＦ状態となり、コラム２３を押し込んで全閉時にのみＯ
Ｎ状態となる。
【００３８】
また、コラム２３を前方に引き出して全開とすると、充填スイッチ５８はレバー部５９がコラム２３の後部に備えた突起部６０に係合することでコラム２３の全開状態を検知し、以下に説明するコラムスイッチ３６でのカウンターによるコラム２３の商品収納数（区画数）の書き換えを行う。
【００３９】
すなわち、商品充填後にコラム２３を押し込んでいくことで、コラムスイッチ３６のレバー部３７がコラム２３のそれぞれの仕切板３１に形成した係合部３３に順次係合することでコラムスイッチ３６をＯＮ−ＯＦＦし、カウンターによるコラム２３の商品収納数（区画数）をカウントする。なお、カウンターによるカウントは、充填スイッチ５８がＯＮ（コラム２３の全開状態を検知）した後からリセットスイッチ５５がＯＮ（コラム２３の全閉状態を検知）するまで行い、そのカウント数（ｎ数）をメモリーに記憶する。したがって、充填スイッチ５８がＯＮにならない場合はカウントしない。
【００４０】
商品充填後、カギ４７で施錠することでコラム２３の動作を規制し販売準備が完了する。なお、カウント数（ｎ数）の書き換えは商品充填毎に行うが販売途中で停電が生じてもメモリーは保持される。
【００４１】
次に、販売動作、販売制御について説明する。
【００４２】
本実施の形態の収納ユニット２１におけるコラム２３の引出動作は手動で行うもので、通常は本体内に引き込む方向に、例えばスプリングで支持されている。販売待機時はコラム２３の引き出し操作ができないように係止部材４６でロック状態を維持している。
【００４３】
まず、リセットスイッチ５５がＯＮ状態で、自動販売機本体１０の金銭投入口１７への投入金額が商品価格に達した場合、あるいは読書き手段１８での決裁により販売可能とする信号が出されると収納ユニット２１の前面に備えた販売可能ランプ（図示せず）を点灯する。そして、収納ユニット２１の前面に備えた選択ボタン２６が押されると、販売可能ランプを消灯するとともにソレノイド４４に通電しコラム２３の引き出し動作を可能とする。
【００４４】
コラム２３が利用者により引き出されるとコラムスイッチ３６のＯＦＦ動作でソレノイド４４の通電を停止し係止部材４６をロック状態とする。これにより、コラム２３の最前部である商品収納部（第１コラム）の仕切板３１の係合部３３が係合するまで引出し可能となり、商品を上方から取出し可能となる。
【００４５】
第１コラムから商品が取出され、押し込まれると再びリセットスイッチ５５がＯＮ状態となり、次の販売に備え待機状態となる。なお、リセットスイッチ５５ｇがＯＦＦ状態のままであればコラム２３の復帰不良と判断し、販売可能ランプを点灯させず、販売可能とする信号が出ていても選択ボタン２６の動作を無効とする（ソレノイド４４に通電しない）。
【００４６】
次の商品収納部（第２コラム）の販売時には、コラムスイッチ３６がＯＮ→ＯＦＦ，ＯＮ→ＯＦＦと、２回目のＯＦＦ動作でソレノイド４４の通電を停止し係止部材４６をロック状態とする。これにより、コラム２３の前から２区画目の商品収納部（第２コラム）の仕切板３１の係合部３３が係合するまで引出し可能となり、商品を上方から取出し可能となる。
【００４７】
以上の動作をメモリーに記憶したカウント数（ｎ数）まで行い、第ｎコラムと一致した
時点で売切れと判断し、売切れランプ（図示せず）を点灯させ、次の充填動作が行われるまで、販売可能ランプを消灯させ、選択ボタン２６の動作を無効とする（ソレノイド４４に通電しない）。
【００４８】
以上説明したように、自動販売可能な物品収納装置２０を構成する収納ユニット２１は、上面を開口した引き出し構造のコラム２３を有し、内部に仕切板３１を着脱可能に複数備え、仕切板３１には側面に係合部３３を有し、ソレノイド４４の動作により所定の仕切板３１の係合部３３と係合することでコラム２３の引き出し位置を規制する規制手段を備えているので、コラム２３内に収納する販売商品の大きさや形状などの自由度が高まり、自動販売機能を備えた物品収納装置２０の汎用性を高めることができる。
【００４９】
また、仕切板３１の規制はコラムスイッチ３６のＯＮ−ＯＦＦ回数をカウントするカウンターのメモリーに応じてソレノイド４４に通電動作して販売の順番に応じて前方より順次規制し、コラム２３内に収納した物品を順次上面より取出し可能としたものであり、物品収納装置での自動販売を簡素な仕様で確実に行うことができる。
【００５０】
また、コラム２３内の仕切板３１での区画位置、区画数を可変可能に構成しているので、コラム２３内に収納する販売商品の大きさに容易に対応でき、販売商品の汎用性と収納効率を高めることができる。
【００５１】
また、コラム２３の底面外部には通常は仕切板固定部材４０が仕切板３１の底面突起部３４と係止状態の位置になるように前方のスプリング４３で弾性支持されているので、通常の販売状態では仕切板３１の移動を制限することができ、不用意な仕切板３１の移動を防止することで使い勝手を向上することができる。
【００５２】
また、商品充填の際にコラム２３を前方に全開状態とした時に、コラム２３の動作に連動して仕切板固定部材４０を斜めにスライドさせる機構を備え、仕切板固定部材４０が仕切板３１の底面突起部３４との係止状態を解除させる構成としているので、物品収納装置２０の商品充填時は、仕切板３１の移動を可能とすることができ、販売商品に応じて仕切板３１を設定でき、使い勝手を向上することができる。
【００５３】
また、コラム２３の前面にカギ４７を備え、カギ４７の回動に連動して係止部材４６を動作させることにより、商品充填時はカギ４７を回動してコラム２３のロック状態を強制的に解除し、コラム２３を前方に引き出し可能となり、メンテナンス性を高めることができる。
【００５４】
また、係止部材４６のソレノイド４４によるコラム２３の引き出し規制とカギ４７の回動による引き出し規制とを兼用する構造としているので、規制手段の簡素化、および低コスト化を図ることができる。
【００５５】
また、収納ユニット２１を上下に重ねて設置する場合、脚５１を介して固定するとともに、それぞれの連動部材４８を連接しているので、上下に重ねて配置した複数の収納ユニット２１を、最上段に設置したコラム２３の１つのカギ４７の動作により上下複数のコラム２３のロック状態の維持・解除を行うことができ、それぞれのコラム２３にカギ４７を設ける必要がなく、収納ユニット２１のカギ４７の簡素化、および低コスト化を図ることができる。
【００５６】
また、上面を開口した引き出し構造のコラム２３で、内部に仕切板３１を着脱可能に複数備え、仕切板３１には側面に係合部３３を有し、コラム２３の引き出し位置を規制する規制手段を備えた自動販売可能な物品収納装置２０は、親機となる親機となる自動販売機
本体１０に併設配置しているので、通常の缶、ビン、ペットボトル等の自動販売に加え、販売商品の汎用性を高めた自動販売用物品収納装置により、利用者のニーズを高めるとともに販売商品の多様性に対応することができ、自動販売機の親機と子機での相乗効果により販売効率を高めることができる。
【００５７】
また、自動販売可能な物品収納装置２０の電源は親機となる自動販売機本体１０の電源を兼用しているので、自動販売用の物品収納装置２０の簡素化を図ることができ、低コスト化を図ることができる。
【００５８】
また、自動販売可能な物品収納装置２０の入金機能は親機となる自動販売機本体１０の入金機能を兼用しているので、さらに自動販売用の物品収納装置２０の簡素化を図ることができ、低コスト化を図ることができる。
【００５９】
また、物品収納装置２０は親機となる自動販売機の前面に備えた外扉１１のヒンジ機構とは反対側の側部に配置しているので、親機となる自動販売機の外扉の開閉による影響を受けることなく物品収納装置のメンテナンスが可能となる。
【００６０】
また、物品収納装置２０の収納ユニット２１は上下に複数備え、最下段は親機となる自動販売機の商品取出口と略同一としたことにより、物品収納装置からの商品の取り出しを無理なく容易に行うことができる。
【００６１】
なお、本実施の形態では、コラム２３の引出動作は手動で行うもので説明したが、モータ等の駆動装置を用いてもよい。
【００６２】
また、仕切板固定部材４０の動作はコラム２３の動作に連動した機構的なものでも良いし、電気的に動作させてもよい。
【００６３】
また、係止部材４６の動作をソレノイド４４で行うもので説明したが、モータ等の駆動装置を用いてもよい。
【００６４】
さらに、コラム２３の引出動作の規制手段は、上記形態に限定されるものではなく、前方引き出し位置を仕切板毎に前方より順次規制できるものであれば、いずれの手段を用いてもよい。
【産業上の利用可能性】
【００６５】
以上のように、本発明にかかる自動販売機能を備えた物品収納装置は、収納部に収納する販売商品の大きさや形状などの自由度が高まり、自動販売機能を備えた物品収納装置の汎用性を高めることができるので、あらゆる自動販売機器の用途に適用できる。
【符号の説明】
【００６６】
１０  自動販売機本体
１１  外扉
２０  物品収納装置
２１  収納ユニット
２３  コラム
３１  仕切板
３２  側面突起部
３３  係合部
３４  底面突起部
３５  切欠部
３６  コラムスイッチ
３７、５６、５９  レバー部
４０  仕切板固定部材
４４  ソレノイド
４６  係止部材
５５  リセットスイッチ
５８  充填スイッチ
【図１】
2012128467.tif 000003
【図２】
2012128467.tif 000004
【図３】
2012128467.tif 000005
【図４】
2012128467.tif 000006
【図５】
2012128467.tif 000007
【図６】
2012128467.tif 000008
【図７】
2012128467.tif 000009
【図８】
2012128467.tif 000010
【図９】
2012128467.tif 000011
【図１０】
2012128467.tif 000012
【図１１】
2012128467.tif 000013
【図１２】
2012128467.tif 000014
【図１３】
2012128467.tif 000015
【図１４】
2012128467.tif 000016
【図１５】
2012128467.tif 000017
【図１６】
2012128467.tif 000018